(57)【要約】【解決手段】  注射ボタンの軸方向の移動と、ピストンロッドの軸方向の移動との間のギア比を与えるギア装置を有する注射装置が提供される。注射装置は、ハウジングに対して相対的に回転することによって投与量を設定することができる回転軸を有する投与量設定部材を備えている。従って、投与量の設定中、ギア装置は、投与量設定部材と共にその回転軸で回転するのを妨げられる。  それによって、ギア装置のために、ハウジング内部に提供する必要のある空間が低減される。そのため、この空間を追加の電子部品など他の目的に使用すること、例えば、比較的平坦な断面を有するなど、他の目的に適した形で注射装置を設計すること、あるいは注射装置の大きさを低減することなどが可能になる。  本発明の一実施態様によれば、ギア装置は、投与量設定部材の回転軸に平行ではない、例えば投与量設定部材の回転軸に対して垂直な回転軸を有する少なくとも１つのギアホイールを備えている。本発明の他の実施態様によれば、ギア装置は、第１のピッチを有するねじ部を備えた駆動スピンドル、および第２のピッチを有するねじ部を備えたピストンロッドを備えている。両ねじ部によってギアが形成される。【選択図】  図１
2009529396.tif 000002
【特許請求の範囲】
【請求項１】
注射装置であって、
ハウジングと、
当該ハウジングに対して相対的に回転することによって、投与量を設定することができる回転軸を有する投与量設定部材と、
設定された投与量が当該注射装置から注射されるように適合されたピストンロッドと、
軸方向移動を行うように適合され、設定された投与量を注射する際に操作すると、設定された投与量が前記ピストンロッドによって注射されるように、前記ピストンロッドと協働することができる注射ボタンと、
当該注射ボタンの軸方向移動と前記ピストンロッドの軸方向移動との間のギア比を与える、少なくとも１つのギアホイールからなるギア装置とを備え、
投与量の設定中、当該ギア装置が、前記投与量設定部材と共に当該部材の回転軸で回転するのが妨げられ、１つまたは複数の前記ギアホイールの少なくとも１つが、前記投与量設定部材の回転軸と平行でない回転軸を有する注射装置。
【請求項２】
前記投与量設定部材に対して、回転可能に係止された投与量ロッドをさらに備え、当該投与量ロッドおよび前記ギア装置が、相対的な回転ができるように、前記ギア装置が、前記投与量ロッドに対して、軸方向に固定される請求項１に記載の注射装置。
【請求項３】
１つまたは複数の前記ギアホイールの少なくとも１つが、前記投与量設定部材の回転軸に対して垂直な回転軸を有する請求項１または２に記載の注射装置。
【請求項４】
前記投与量設定部材が操作されると回転するように、前記投与量設定部材に連動して結合されるクラウンホイールをさらに備え、前記回転が、前記投与量設定部材の回転軸に平行でない回転軸で行われる請求項３に記載の注射装置。
【請求項５】
注射装置であって
ハウジングと、
当該ハウジングに対して相対的に回転することによって、投与量を設定することができる回転軸を有する投与量設定部材と、
設定された投与量が当該注射装置から注射されるように適合されたピストンロッドと、
軸方向の移動を行うように適合され、設定された投与量を注射する際に操作すると、設定された投与量が前記ピストンロッドによって注射されるように、前記ピストンロッドと協働することができる注射ボタンと、
当該注射ボタンの軸方向の移動と前記ピストンロッドの軸方向の移動との間のギア比を与えるギア装置であって、前記注射ボタンおよび前記ピストンロッドに連動して結合される駆動スピンドルを備え、当該駆動スピンドルが第１のピッチを有するねじ部を備え、前記ピストンロッドが第２のピッチを有するねじ部を備え、当該両ねじ部によってギアが形成され、当該ギア比が前記第１のピッチと前記第２のピッチの間の比に対応するギア装置とを備え、
投与量の設定中、前記ギア装置が、前記投与量設定部材と共に当該部材の回転軸で回転するのを妨げられる注射装置。
【請求項６】
前記駆動スピンドルが、前記投与量設定部材の回転軸に対して、平行に配置される長手方向の軸を決定する請求項５に記載の注射装置。
【発明の詳細な説明】
【技術分野】
【０００１】
本発明は人体に薬物を送り込むための注射装置に関し、当該注射装置は、投与量設定部材がその回転によって所望の投与量を設定することができる種類のものである。より詳細には、本発明は、注射ボタンの軸方向移動とピストンロッドの軸方向移動との間のギア比を与えるギア装置を有する注射装置に関する。本発明の注射装置は、成長ホルモンや糖尿病患者用のインスリンなど、薬物の自己注射による処置に特に適している。
【背景技術】
【０００２】
当分野では、投与量設定部材がその回転によって所望の投与量を設定することができる種類の注射装置が知られている。そうした注射装置の一例は、ペンに似ているために、注射ペンとしても知られている細長い装置である。
【０００３】
使用者が、設定された投与量を注射装置から放出させるために加える必要のある圧力を低減するには、注射ボタンがピストンより長いストロークを有することができるように、注射装置の中にギア装置を設けることが望ましい。
【０００４】
特許文献１は、そうしたギア装置を有する注射装置を開示している。この注射装置では、ギアボックスをハウジング内で回転させることはできるが、ハウジングに対して軸方向に移動させることはできないように、ギアボックスが注射装置のハウジングの中に固定される。したがって投与量の設定中、ギアボックスは投与量ノブと共に回転する。このギアボックスの回転を可能にするには、ギアボックスが収容される空間はわずかであっても、ハウジングの内部に常に大きな空間を設ける必要がある。そのため、注射装置はかさばったものになる。
【０００５】
【特許文献１】米国特許出願公開第２００４／００５９２９９号
【発明の開示】
【発明が解決しようとする課題】
【０００６】
したがって、本発明の一つの目的は、従来技術の注射装置より平坦なギア装置を有する注射装置を提供することにある。本発明の他の目的は、注射装置のハウジング内部の利用可能な空間を最大限利用する、ギア装置を有する注射装置を提供することにある。
【０００７】
本発明のさらに他の目的は、注射装置全体の大きさを増大させることなく、追加の電子部品を備えたギア装置を有する注射装置を提供することにある。本発明のさらに他の目的は、比較的平坦な外観を有する注射装置を提供することにある。
【課題を解決するための手段】
【０００８】
本発明の第１の実施態様によれば、注射装置であって、
−ハウジングと、
−ハウジングに対して相対的に回転することによって、投与量を設定することができる回転軸を有する投与量設定部材と、
−設定された投与量が注射装置から注射されるように適合されたピストンロッドと、
−軸方向の移動を行うように適合され、設定された投与量を注射する際に操作すると、設定された投与量がピストンロッドによって注射されるように、ピストンロッドと協働することができる注射ボタンと、
−注射ボタンの軸方向の移動とピストンロッドの軸方向の移動との間のギア比を与える、少なくとも１つのギアホイールを備えたギア装置とを備え、
投与量の設定中、当該ギア装置が、投与量設定部材と共にその回転軸で回転することが妨げられ、１つまたは複数のギアホイールの少なくとも１つが、投与量設定部材の回転軸に平行でない回転軸を有する注射装置を提供することによって、前述の目的他が実現される。
【０００９】
本明細書において「ハウジング」という用語は、注射装置の他の部分の少なくとも一部を囲む、実質的に閉鎖された部分を意味するものと解釈すべきである。
【００１０】
投与量設定部材は、所望の投与量を設定することができる注射装置の一部である。投与量の設定中、投与量設定部材はその回転軸で回転する。回転軸は、注射装置の長手方向の軸に沿って配置することが好ましい。投与量設定部材は、回転可能な投与量ノブであること、またはそれを含むことが好ましい。投与量設定部材は、所望の投与量を設定するために必要な他の部分、例えば投与量ロッドを含む、投与量設定機構の一部を形成することが好ましい。
【００１１】
ピストンロッドは、設定された投与量が注射装置から注射されるように適合される。その際、ピストンロッドは注射装置の中に配置されたカートリッジのピストンと協働する。ピストンロッドおよびピストンは隣接していることが好ましく、それによって、ピストンロッドが軸方向に移動すると、カートリッジの中でピストンが同じ軸方向に移動するようになる。
【００１２】
注射ボタンは、使用者が注射ボタンを軸方向に押すとピストンロッドも軸方向に移動し、その操作によって、設定された投与量が注射されるように、使用者によって操作されることが可能である。
【００１３】
ギア装置は、注射ボタンの軸方向の移動とピストンロッドの軸方向の移動との間のギア比を与える。これによって、設定された投与量を注射するのに十分なだけ、ピストンロッドを軸方向に移動させるために、使用者が注射ボタンに加える必要のある力が低減される。ギア比は、２：１、３：１、または他の任意の適切な比にすることができる。
【００１４】
投与量が設定されるとき、すなわち投与量設定部材がその回転軸で回転するとき、ギア装置が投与量設定部材と共にその回転軸で回転するのが妨げられる。これによって、ギア装置が投与量設定部材と共に回転する注射装置に比べて、ギア装置がハウジング内部に占める空間を低減することができる。
【００１５】
したがって、この空間を他の目的、例えば表示スクリーンおよび／または電池を含めた、追加の電子部品を収容するために使用することが可能になる。あるいは、注射装置の全体的な大きさを低減することが可能になる。また、ギア装置を注射装置の断面の特定部分に配置することも可能になり、それによって、比較的平坦な断面を有する注射装置を設計することができる。
【００１６】
投与量設定部材の回転軸で他の回転が行われない限り、ギア装置またはギア装置の一部は、依然として回転することが可能であることに留意すべきである。例えば、本発明の第１の実施態様によれば、ギア装置は個々の回転軸で回転するように適合された、１つまたは複数のギアホイールを備えている。複数のギアホイールの少なくとも１つは、投与量設定部材の回転軸に対して平行でない回転軸を有している。
【００１７】
注射装置はさらに、投与量設定部材に対して回転可能に係止された投与量ロッドを備えることが可能であり、また投与量ロッドおよびギア装置が回転できるように、ギア装置を投与量ロッドに対して、軸方向に固定することができる。投与量ロッドは投与量設定部材に係止されているため、投与量の設定中、投与量設定部材と共に回転する。投与量ロッドは、投与量設定部材の回転軸と一致するように配置することが好ましい。
【００１８】
この場合、投与量ロッドは投与量の設定中、長手方向の軸で回転するようになる。投与量ロッドおよびギア装置が相対的な回転ができるため、ギア装置が一緒に回転しなくても、投与量ロッドは回転することが可能である。しかし、ギア装置は投与量ロッドに対して少なくとも軸方向に固定される。すなわち、ギア装置および投与量ロッドを、互いに軸方向に相対移動させることはできない。これは例えば、投与量ロッドが貫通して配置される１対の孔を備えた滑走面の中に、ギア装置を配置することによって実施することができる。この構造はきわめて単純であり、平坦な注射装置が得られるので、きわめて効果的である。
【００１９】
ギア装置は、少なくとも１つのギアホイールを備えている。複数のギアホイールの少なくとも１つは、投与量設定部材の回転軸に対して、垂直な回転軸を有することができる。１つまたは複数のギアをこのように配置すると、注射装置を比較的平坦にすることが可能になり、それによって例えば、設定される投与量、カートリッジ内に残された薬物の残量、カートリッジ内の薬物の種類（例えば、速効性インスリン、遅効性インスリンまたは混合インスリン等）、糖尿病治療に関する日誌などを表示するための表示手段を注射装置に設けることが容易になる。
【００２０】
注射装置はさらに、投与量設定部材が操作されると回転するように、当該部材に連動して結合されるクラウンホイールを備えることが可能である。この回転は、投与量設定部材の回転軸に平行でない回転軸で行われる。この実施形態では、投与量の設定中、クラウンホイールが、投与量設定部材と共に当該部材の回転軸で回転するように適合された押出しギアホイールを介して、投与量設定部材に結合されることが好ましい。
【００２１】
押出しギアホイールはクラウンホイールと係合し、それによってクラウンホイールが、投与量設定部材の回転軸に平行でない回転軸で回転するようになる。好適には、クラウンホイールの回転軸を、投与量設定部材の回転軸に対して垂直に配置することができる。さらに、クラウンホイールを回転させると、ギアホイールがピストンロッドに沿って軸方向に移動するように、所望の投与量が設定される。その後、注射ボタンが押されると、ギアホイールがピストンロッドを軸方向に移動させ、それによって設定された投与量が注射装置から注射されるように、クラウンホイールをギアホイールに連動して接続することが可能である。
【００２２】
本発明の第２の実施態様によれば、注射装置であって、
−ハウジングと、
−ハウジングに対して相対的に回転することによって、投与量を設定することができる回転軸を有する投与量設定部材と、
−設定された投与量が注射装置から注射されるように適合されたピストンロッドと、
−軸方向の移動を行うように適合され、設定された投与量を注射する際に操作すると、設定された投与量がピストンロッドによって注射されるように、ピストンロッドと協働することができる注射ボタンと、
−注射ボタンの軸方向の移動とピストンロッドの軸方向の移動との間のギア比を与えるギア装置であって、注射ボタンおよびピストンロッドに連動して結合される駆動スピンドルを備え、駆動スピンドルが第１のピッチを有するねじ部を備え、ピストンロッドが第２のピッチを有するねじ部を備え、両ねじ部によってギアが形成され、ギア比が第１のピッチと第２のピッチの間の比に対応するギア装置とを備え、
投与量の設定中、当該ギア装置が、投与量設定部材と共にその回転軸で回転するのを妨げられる、注射装置を提供することによって、前述の目的他が実現される。
【００２３】
本発明の第１の実施態様と共に記載した任意の特徴を、本発明の第２の実施態様と組み合わせることも可能であり、逆も同様であることが、同業者には容易に認識されることに留意すべきである。
【００２４】
このように第２の実施態様によれば、注射装置は、注射ボタンおよびピストンロッドに連動して結合される駆動スピンドルを備えている。駆動スピンドルは第１のピッチを有するねじ部分を備え、ピストンロッドは第２のピッチを有するねじ部を備え、両ねじ部によってギアが形成され、ギア比は第１のピッチと第２のピッチの間の比に対応する。したがって、駆動スピンドルはギア装置の一部を形成する。
【００２５】
本発明の第２の実施態様によれば、投与量の設定中、やはりギア装置は、投与量設定部材と共に当該部材の回転軸で回転するのを妨げられる。このことは、本発明の第１の実施態様を参照して既に詳しく説明してある。本発明の第２の実施態様によれば、投与量の設定中、駆動スピンドルは投与量設定部材と共に回転するのを妨げられる。したがって前述のように、ギア装置のためにハウジング内部に設けられる空間をかなり低減することができる。
【００２６】
駆動スピンドルを備えた、従来技術のいくつかの注射装置では、駆動スピンドルがピストンロッドと同軸上に配置される。それによって、注射装置の断面積が大きくなり、その断面は通常、円形になる。あるいは、駆動スピンドルが投与量設定部材の回転軸で回転しなければならない場合には、駆動スピンドルおよびピストンロッドを平行に配置することとなり、それによって、駆動スピンドルとピストンロッドの距離によって定まる半径を有する円が決定される。一方、本発明の第２の実施態様によれば、駆動スピンドルは、投与量設定部材の回転軸に対して平行に配置される長手方向の軸を決定し、その軸で回転することができる。それによって、注射装置を比較的平坦にすることが可能になり、前述の利点が実現される。
【発明を実施するための最良の形態】
【００２７】
次に、添付図面を参照して本発明をさらに詳しく説明する。図１〜５は、本発明の第１の実施態様による注射装置１を示している。図１は注射装置１の斜視図である。注射装置１は、ハウジング２、注射される薬物を含むカートリッジ３、投与量設定部材４および注射ボタン５を備えている。カートリッジ３の先端部６には、カートリッジ３の薬物を皮下注射できるように、針を取り付けることができる。
【００２８】
次に図２〜５を参照して、図１に示した注射装置１の動作について説明する。図２は、注射装置１の動作を説明するのに必要な注射装置１の選択された部分を示している。分かりやすいように、注射装置１の動作の説明に必要でない、ハウジングなどの部分は省略してある。
【００２９】
図２の注射装置１は、投与量ロッド７および押出しギアホイール８に接続された投与量設定部材４を備えている。投与量設定部材４、投与量ロッド７および押出しギアホイール８は投与量の設定中、共通の回転軸で回転する。回転軸は投与量ロッド７によって決定される。
【００３０】
押出しギアホイール８はクラウンホイール９と係合している。したがって、投与量の設定中に押出しギアホイール８が回転すると、クラウンホイール９も回転する。しかし、クラウンホイール９は、投与量設定部材４の回転軸に対して垂直に配置された回転軸のまわりを回転する。投与量の設定中、第１のギアホイール２６がクラウンホイール９と共に同軸上を回転するように両者は結合される。
【００３１】
第１のギアホイール２６はさらに、ピストンロッド１０上のトラック１１と係合する、第１のギアホイール２６上の一連の歯によって、ピストンロッド１０と係合される。そのため、投与量の設定中、クラウンホイール９および第１のギアホイール２６が回転すると、クラウンホイール９と第１のギアホイール２６の間に配置された第２のギアホイール１２を備えるギア装置が、第１のギアホイール２６とピストンロッド１０の間の接続によって、ピストンロッド１０に対して軸方向に移動する。
【００３２】
第２のギアホイール１２は、ハウジング（図示せず）に固定された第１のラック１４上のトラック、およびハウジングに対して移動可能であるが注射ボタン５に固定された、第２のラック１５上のトラックと係合する一連の歯１３を備えている。結果として、このギア装置を軸方向に移動させると、注射ボタン５は近い方向に、すなわちハウジングから離れるように軸方向を移動する。第２のギアホイール１２が軸方向に移動すると、第２のギアホイール１２が第１のラック１４と係合する点での周速度は実質的に０になり、第２のギアホイール１２が第２のラック１５と係合する点での周速度は、実質的に第２のギアホイール１２の軸方向速度の２倍になる。
【００３３】
図２では、注射装置１は投与量を設定する準備ができた位置にある。したがって、注射ボタン５はできる限りハウジングに近い位置にある。さらに、ピストンロッド１０は比較的ギア装置に近く、カートリッジ全体が注射装置１に挿入されたばかりであることを示している。
【００３４】
図３は、所望の投与量が設定されているが、まだ注射されていない位置における、図１および２の注射装置１を示している。図３を図２と比べると、注射ボタン５が外側へ移動していること、ならびにギア装置が第１のラック１４に対して相対的に軸方向に移動し、それによってハウジングおよびピストンロッド１０に対しても相対的に軸方向に移動していることが明らかである。設定された投与量を注射するとき、使用者は注射ボタン５を遠い方向、すなわちハウジングの方向へ押す。
【００３５】
第２のラック１５のトラックと第２のギアホイール１２の歯１３との間の係合によって、ギア装置も遠い方向に移動する。しかし、第２のギアホイール１２の歯１３と第１のラック１４のトラックとの間の係合によって、この軸方向移動の間に第２のギアホイール１２の回転が生じる。したがって、ギア装置が移動する距離は、注射ボタン５が移動する距離より短くなり、これによってギアが形成される。
【００３６】
第１のギアホイール（図示せず）とピストンロッド１０上のトラック１１との間の係合、および注射中に第１のギアホイールが回転を妨げられることによって、ピストンロッド１０がギア装置と共に移動し、それによって設定された投与量がカートリッジから放出される。
【００３７】
図４は、設定された投与量が注射されたばかりの位置における、図１〜３の注射装置１を示している。したがって、図４では注射ボタン５およびギア装置は、図２と同じ位置にある。しかし、図２のピストンロッド１０の位置と比べると、ピストンロッド１０は軸上を遠い方向に移動しており、投与量がカートリッジから注射されたことを示している。
【００３８】
図５は、図１〜４の注射装置１の分解図である。分かりやすいように、図５には図２〜４に示した部分のみを示し、残りの部分は省略してある。投与量の設定中、第１のギアホイール２６および第２のギアホイール１２が投与量設定部材４と共に回転しないため、注射装置１は、ギア装置を有する従来技術の注射装置に比べて小型である。
【００３９】
図６〜１０は、本発明の第２の実施態様による注射装置１を示している。図６は注射装置１の斜視図である。注射装置１は、ハウジング２、注射される薬物を含むカートリッジ３、投与量設定部材４および注射ボタン５を備えている。カートリッジ３の先端部６には、カートリッジ３の薬物を皮下注射できるように、針を取り付けることができる。
【００４０】
次に図７〜１０を参照して、図６に示した注射装置１の動作について説明する。図７は、注射装置１の動作を説明するのに必要な、注射装置１の選択された部分を示している。分かりやすいように、注射装置１の動作の説明に必要でない、ハウジングなどの他の部分は省略している。
【００４１】
図７に示した注射装置１は、キーおよび溝による接続を介して、投与量ロッド７に接続された投与量設定部材４を備えている。外ねじ１７を有するスピンドルロッド１６が、投与量ロッド７と平行に配置され、投与量ロッド７を介して、投与量設定部材４に連動可能に接続されている。スピンドルナット１８は、スピンドルロッド１６の外ねじ１７と噛み合うように適合された内ねじ（図示せず）を有している。
【００４２】
スピンドルナット１８は、第３のギアホイール１９を介して、押出しギアホイール８と係合している。スピンドルナット１８および第３のギアホイール１９は、同じ部材の一部を形成し、したがって互いに固定されている。ハウジング（図示せず）に対して、軸方向に係止された第４のギアホイール２０も、スピンドルロッド１６に取り付けられている。第４のギアホイール２０は、ピストンロッド１０に結合された駆動ナット２１と係合している。
【００４３】
投与量が設定されると投与量設定部材４が回転し、それによって、投与量ロッド７および押出しギアホイール８が回転する。押出しギアホイール８と第３のギアホイール１９の間の係合によって、スピンドルナット１８も回転する。スピンドルナット１８とスピンドルロッド１６のねじ山が噛み合っているため、スピンドルナット１８はスピンドルロッド１６に沿って近い方向に移動する。
【００４４】
スピンドルナット１８の軸方向の移動によって、対応する注射ボタン５の軸方向の移動が生じるように、スピンドルナット１８はブロック（図示せず）を介して注射ボタン５に接続されている。言い換えれば、スピンドルナット１８は、ブロック（図示せず）を介して注射ボタン５に軸方向に固定されている。したがって、注射ボタン５はハウジングから離れるように移動する。
【００４５】
図７には、所望の投与量を設定する準備ができた位置における、注射装置１が示されている。したがって、注射ボタン５はできるだけハウジングの近くに配置されている。
【００４６】
図８は、所望の投与量が設定されているが、まだ注射されていない位置における、図６および７の注射装置１を示している。したがって、スピンドルナット（図示せず）はスピンドルロッド１６に沿って移動し、注射ボタン５はハウジングから離れるように移動している。設定された投与量を注射するとき、使用者は注射ボタン５を遠い方向に、すなわちハウジングの方向へ押す。それによって、スピンドルナット（図示せず）も遠い方向に押される。次に、スピンドルナットが以下の方法で、回転しないように係止される。
【００４７】
注射ボタン５が押されると、注射ボタン５の内部に配置された部材上の一連の歯が移動し、投与量ロッド７上に配置された相手側の一連の歯と係合する。このため、投与量ロッド７が回転可能に係止され、それによって押出しギアホイール８も回転可能に係止される。第３のギアホイール１９が押出しギアホイール８と係合され、第３のギアホイール１９は前述のようにスピンドルナットに接続されているため、スピンドルナットも回転可能に係止される。したがって、スピンドルナットとスピンドルロッド１６のねじ山の噛み合せによってスピンドルロッド１６が回転する。第４のギアホイール２０と駆動ナット２１の間の係合によって、駆動ナット２１も回転する。
【００４８】
駆動ナット２１は、駆動ナット２１上の内ねじ、およびピストンロッド１０上の外ねじを介して、ピストンロッド１０に接続されている。ピストンロッド１０は、係止部材２６によって回転しないように係止される。したがって、駆動ナット２１の回転によってピストンロッド１０が軸上を遠い方向に移動して、設定された投与量がカートリッジから放出される。スピンドルロッド１６上のねじ山１７のピッチは、ピストンロッド１０上のねじ山のピッチより大きい。それによって、注射ボタン５の軸方向の移動とピストンロッド１０の軸方向の移動との間にギアが形成される。
【００４９】
図９は、投与量が注射されたばかりの位置における、図６〜８の注射装置１を示している。したがって、注射ボタン５およびスピンドルナット１８は、図７と同様に配置されている。しかし、ピストンロッド１０は遠い方向に移動しており、投与量が注射されたことを示している。
【００５０】
図１０は、図６〜９の注射装置１の分解図である。分かりやすいように、図１０には図７〜９に示した部分のみを示し、残りの部分は省略してある。スピンドルロッド１６は、投与量ロッド７に対して平行に配置され、投与量の設定中に投与量設定部材４と共に回転しないため、注射装置１の全体的な大きさを、ギア装置を有する従来技術の注射装置に比べて低減することができる。
【００５１】
図１１〜１５は、本発明の第３の実施態様による注射装置１を示している。図１１は注射装置１の斜視図である。注射装置１は、ハウジング２、注射される薬物を含むカートリッジ３、投与量設定部材４および注射ボタン５を備えている。カートリッジ３の先端部６には、カートリッジ３の薬物を皮下注射できるように、針を取り付けることができる。
【００５２】
次に図１２〜１５を参照して、図１１に示した注射装置１の動作について説明する。図１２は、注射装置１の動作を説明するのに必要な、注射装置１の選択された部分を示している。分かりやすいように、注射装置１の動作の説明に必要でないハウジングなどの他の部分は省略してある。
【００５３】
図１２の注射装置１は、キーおよび溝による接続を介して、投与量ロッド７に接続された投与量設定部材４を備えている。投与量ロッド７は、ピストンロッド１０の内ねじと噛み合う外ねじを有している。第５のギアホイール２２は、滑走面２３を介して投与量ロッド７に接続されている。第５のギアホイール２２は、ハウジングに固定された第１のラック１４上のトラック、およびハウジングに対して相対的に移動可能であるが、注射ボタン５に対しては固定された第２のラック１５上のトラックと係合する一連の歯２４を備えている。
【００５４】
投与量が設定されると投与量設定部材４が回転し、それによって投与量ロッド７も回転する。投与量ロッド７とピストンロッド１０のねじ山が噛み合っているため、投与量ロッド７がピストンロッド１０に沿って移動する。それによって、注射ボタン５が以下の方法で近い方向に移動する。第５のギアホイール２２の中心は、滑走面２３を介して投与量ロッド７に接続され、軸方向に係止されている。第５のギアホイール２２の第１のラックと係合する点での周速度はほとんど０になり、第５のギアホイール２２の第２のラック１５と係合する点での周速度は、第５のギアホイール２２の軸方向速度の約２倍になる。それによって注射ボタン５は、第５のギアホイール２２が移動する距離の約２倍の距離を移動する。
【００５５】
図１２には、所望の投与量を設定する準備ができた位置における、注射装置１が示されている。したがって、注射ボタン５はできるだけハウジングの近くに配置されている。
【００５６】
図１３は、所望の投与量が設定されているが、まだ注射されていない位置における、図１１および１２の注射装置１を示している。したがって注射ボタン５は移動し、ハウジングから離れている。設定された投与量を注射するとき、使用者は注射ボタン５を遠い方向に押す。第２のラック１５上のトラックと第５のギアホイール２２の歯２４とが係合しているため、これによって第５のギアホイール２２が回転し、軸方向に移動する。
【００５７】
第５のギアホイール２２の中心は、前述のように投与量ロッド７に結合され、注射ボタン５を移動させると、噛み合っている歯の間の係合によって、投与量設定部材４がハウジング２に係止されるため、設定された投与量を注射する間、投与量ロッド７は回転を妨げられる。第５のギアホイール２２の軸方向の移動によって、投与量ロッド７は軸方向に移動する。投与量ロッド７の軸方向の移動によって、ピストンロッド１０が軸上で遠い方向に移動し、それによって設定された投与量がカートリッジから放出される。
【００５８】
図１４は、設定された投与量が注射されたばかりの位置における、図１１〜１３の注射装置１を示している。したがって、第５のギアホイール２２および注射ボタン５の位置は、図１２のそれらの位置と同じである。しかし、ピストンロッド１０は軸上を遠い方向に移動しており、投与量がカートリッジから注射されたことを示している。
【００５９】
図１５は、図１１〜１４の注射装置１の分解図である。分かりやすいように、図１５には図１１〜１４に示した部分のみを示し、残りの部分は省略してある。図１５では、投与量ロッド７上の外ねじ２５が見られる。
【００６０】
投与量の設定中、第５のギアホイール２２が投与量設定部材４と共に回転しないため、ギア装置を有する従来技術の注射装置に比べて、注射装置１の全体的な大きさを低減することができる。注射装置１を例えば、より平坦にすること、あるいは外形寸法を増大させることなく、表示ディスプレイ、電池などを含めた、追加の電子部品を注射装置１の中に配置することが可能になる。
【図面の簡単な説明】
【００６１】
【図１】本発明の第１の実施形態による、注射装置を示す斜視図である。
【図２】第１の実施形態による、注射装置の一部を拡大した図である。
【図３】第１の実施形態による、注射されていない状態を示す図である。
【図４】第１の実施形態による、注射された状態を示す図である。
【図５】図１〜４の注射装置の分解図である。
【図６】本発明の第２の実施形態による、注射装置１を示す斜視図である。
【図７】第２の実施形態による、注射装置の一部を拡大した図である。
【図８】第２の実施形態による、注射されていない状態を示す図である。
【図９】第２の実施形態による、注射された状態を示す図である。
【図１０】図６〜９の注射装置の分解図である。
【図１１】本発明の第３の実施形態による、注射装置を示す斜視図である。
【図１２】第３の実施形態による、注射装置の一部を拡大した図である。
【図１３】第３の実施形態による、注射されていない状態を示す図である。
【図１４】第３の実施形態による、注射された状態を示す図である。
【図１５】図１１〜１４の注射装置の分解図である。
【符号の説明】
【００６２】
１  注射装置
２  ハウジング
３  カートリッジ
４  投与量設定部材
５  注射ボタン
６  先端部
７  投与量ロッド
８  押出しギアホイール
９  クラウンホイール
１０  ピストンロッド
１１  トラック
１２  第２のギアホイール
１３  歯
１４  第１のラック
１５  第２のラック
１６  スピンドルロッド
１７  外ネジ
１８  スピンドルナット
１９  第３のギアホイール
２０  第４のギアホイール
２１  駆動ナット
２２  第５のギアホイール
２３  滑走面
２４  歯
２６  係止部材
【図１】
2009529396.tif 000003
【図２】
2009529396.tif 000004
【図３】
2009529396.tif 000005
【図４】
2009529396.tif 000006
【図５】
2009529396.tif 000007
【図６】
2009529396.tif 000008
【図７】
2009529396.tif 000009
【図８】
2009529396.tif 000010
【図９】
2009529396.tif 000011
【図１０】
2009529396.tif 000012
【図１１】
2009529396.tif 000013
【図１２】
2009529396.tif 000014
【図１３】
2009529396.tif 000015
【図１４】
2009529396.tif 000016
【図１５】
2009529396.tif 000017
【国際調査報告】
2009529396.tif 000018
2009529396.tif 000019
2009529396.tif 000020
2009529396.tif 000021
2009529396.tif 000022